(57)【要約】【課題】熱源室内において、加熱装置の加熱バラツキを低減させること。【解決手段】熱源室には、送風ファン２５からの風を吹出口へガイドする金属性の左接線方向仕切板Ａ４１（第１熱風ガイド）、右接線方向仕切板Ａ４２（第１熱風ガイド）、仕切板Ｂ４３（第２熱風ガイド）が設けられ、左接線方向仕切板Ａ４１、右接線方向仕切板Ａ４２、仕切板Ｂ４３が、ヒータ２４をファンケース２２（断熱版）へ取り付けているので、ヒータ２４と左接線方向仕切板Ａ４１、右接線方向仕切板Ａ４２、仕切板Ｂ４３の位置関係がバラツキなく安定するため、ヒータ２４の加熱バラツキを低減させることができる。さらにヒータ２４の固定と左接線方向仕切板Ａ４１、右接線方向仕切板Ａ４２、仕切板Ｂ４３とを一体構成にしているので、部品点数を減らして構成を簡単にでき、組立作業性を向上できる。【選択図】図２
2013245872.tif 000002
【特許請求の範囲】
【請求項１】
内部に被加熱物を載置する加熱室と、吸込口と吹出口とを有し前記加熱室の壁面を構成する隔壁と、前記隔壁の後方に設けられ前記吸込口から吸込まれた前記加熱室内空気を前記吹出口から前記加熱室内へ循環させる送風手段と、前記吸込口から前記吹出口への風路中に配置され循環する空気を加熱する加熱手段と、前記加熱室の後方に配置され前記送風手段と前記加熱手段とを覆い前記隔壁とで熱源室を形成する断熱板とを備え、
前記熱源室には前記送風手段からの風を前記吹出口へガイドする金属性の熱風ガイドが設けられ、前記熱風ガイドが前記加熱手段を前記断熱板へ取り付けている加熱装置。
【請求項２】
前記熱風ガイドは、第１、第２熱風ガイドから構成され、前記加熱手段は、前記第１熱風ガイドにより前記第２熱風ガイドに押し当てるように取り付けられている請求項１に記載の加熱装置。
【発明の詳細な説明】
【技術分野】
【０００１】
本発明は、送風ファンとヒータとによって熱風を発生させ、対流加熱を用いて被加熱物を調理する加熱装置に関するものである。
【背景技術】
【０００２】
従来、この種の加熱装置は一般的に、被加熱物が調理される加熱室の背面後方にファン装置を備え、加熱室内の空気を加熱室内の後壁に設けられた吸込口から、熱風循環装置（熱源室）のケーシング内に吸い込み、ヒータで加熱された熱風を加熱室内の後壁に設けられた吹出口から吹き出す構造を有しており、この熱風の循環を利用した対流加熱によって、調理を行うものである。
【０００３】
このような加熱装置においては、ケーシング内に設けられた風向板を用いて、熱風を加熱室に均一に供給し、庫内温度分布の均一化を図ることにより、焼き上げ性能を向上させている（例えば、特許文献１参照）。また、予熱時に、断面視略Ｌ字形の仕切板をケーシング内に設け、仕切板を設けた位置の吹出口からの熱風を加熱室の中央方向へ集中させ、調理時には調理皿を加熱室に挿入することを吹出口の温度を均一にすることができるものがある（例えば、特許文献２参照）。
【０００４】
図７は、特許文献１に記載された従来の加熱装置を示すものである。図７に示されるように、加熱装置には、加熱室１の後壁の外面に設けられたケーシング２内に、遠心ファンよりなる送風ファン３と略環状のヒータ４とが設けられる。加熱室１の後壁の中央には、多数のパンチング孔よりなる吸込口５が形成され、吸込口５を挟む上下の位置に多数のパンチング孔よりなる吹出口６がそれぞれ帯状に形成される。
【０００５】
送風ファン３は、ケーシング２で形成されたファン室内に吸込口５に対向して設けられた遠心ファンであり、ケーシング２の外部に設けられたモータ７により回転駆動される。ヒータ４は、送風ファン３の外周囲（吹出側）に設けられた略環状のシーズヒータで構成されている。送風ファン３の半径方向外側の吹出口６と対向するケーシング２の内側には、吹出口６の近傍まで延びる風向板８が設けられている。
【０００６】
上記構造の加熱装置において、加熱室１内に被加熱物Ｓを載置し加熱調理を開始させると、モータ７により送風ファン３が回転し、加熱室１の空気が吸込口５からケーシング２内に吸い込まれ、送風ファン３の半径方向外側に送り出される。送り出された空気は、ヒータ４により加熱され、吹出口６から加熱室１に戻される。このようにして、加熱室１内とケーシング２内とを熱風が循環し、対流加熱が行われる。
【０００７】
対流加熱が開始すると、熱風の一部が風向板８に遮られて、送風ファン３の回転方向と反対側に戻ろうとするため、送風ファン３の回転方向と逆方向に位置する吹出口６からの熱風量が増加し、その分、送風ファン３の回転方向に位置する吹出口６からの熱風量が減少する。このようにして、風向板８により、熱風が吹出口６から加熱室１内に均一に供給されることができ、加熱ムラを抑制することができる。
【先行技術文献】
【特許文献】
【０００８】
【特許文献１】特公平７−１１１２５６号公報
【特許文献２】特開２０１１−８０７１０号公報
【発明の概要】
【発明が解決しようとする課題】
【０００９】
そこで、被加熱物を均一にムラなく加熱する手段として、上記の様に風向板８を用いる方法（例えば、特許文献１参照）や、略Ｌ字形の仕切板を設けた位置の吹出口からの熱風を加熱室の中央方向へ集中させる方法が提案されている（例えば、特許文献２参照）。
【００１０】
しかしながら、前記従来の構成では、加熱手段の加熱部と風向板８あるいは仕切板との位置関係が、部品寸法の公差によってバラツキを生じ易く、被加熱物を均一に加熱するには、不安定であった。また、加熱手段の発熱部の固定と、風向板８あるいは仕切板が別部品となっているため、部品点数を多くし、作業性の悪化を招いていた。
【００１１】
本発明は、上記従来の課題を解決するもので、被加熱物を均一にムラなく、かつ安定して加熱し、さらには部品点数を少なくして、組立作業性の良い加熱装置を提供することを目的とする。
【課題を解決するための手段】
【００１２】
前記従来の課題を解決するために、本発明の加熱装置は、内部に被加熱物を載置する加熱室と、吸込口と吹出口とを有し前記加熱室の壁面を構成する隔壁と、前記加熱室の外壁に設けられ、前記隔壁との間に空間を形成する筐体を有し、前記空間内に設けられた送風ファンと加熱手段とにより前記吹出口から前記加熱室に熱風を供給する熱源室を設け、前記熱源室内には、前記加熱手段の固定と、前記送風ファンから回転方向に風を受け前記加熱室へムラなく吹出す金属性の仕切板が一体構成であって、加熱手段と仕切板の位置関係がバラツキなく安定するため、加熱装置の加熱バラツキを低減させることができる。
【００１３】
さらに上記構成は、加熱手段の固定と仕切板が一体構成のため、部品点数を減らし組立作業性の良い加熱装置を提供できる。
【発明の効果】
【００１４】
本発明によれば、加熱手段と仕切板との位置関係がバラツキなく安定するため、加熱装置間の加熱バラツキを低減させ、庫内全体を均一な温度分布として効果的な被加熱物の加熱が可能とする加熱装置を提供することができる。
【図面の簡単な説明】
【００１５】
【図１】本発明の第１の実施の形態における加熱装置の側面断面図
【図２】図１に示すヒータ２４、送風ファン２５、及び仕切板を取り付けた状態のファンケースの正面図
【図３】図１に示す後壁１９を加熱室１３内側から見た正面図
【図４】（ａ）図２に示す仕切板Ａの斜視図（ｂ）同仕切板Ａがヒータを保持した状態を示す斜視図
【図５】（ａ）図２に示す仕切板Ｂの斜視図（ｂ）同仕切板Ｂがヒータを保持した状態を示す斜視図
【図６】（ａ）図２に示す仕切板Ａがヒータを保持した状態を示す断面図（ｂ）図２に示す仕切板Ｂがヒータを保持した状態を示す断面図
【図７】従来の加熱装置の側面断面図
【発明を実施するための形態】
【００１６】
第１の発明は、前記従来の課題を解決するために、本発明の加熱装置は、内部に被加熱物を載置する加熱室と、吸込口と吹出口とを有し前記加熱室の壁面を構成する隔壁と、前記隔壁の後方に設けられ前記吸込口から吸込まれた前記加熱室内空気を前記吹出口から前記加熱室内へ循環させる送風手段と、前記吸込口から前記吹出口への風路中に配置され循
環する空気を加熱する加熱手段と、前記加熱室の後方に配置され前記送風手段と前記加熱手段とを覆い前記隔壁とで熱源室を形成する断熱板とを備え、前記熱源室には前記送風手段からの風を前記吹出口へガイドする金属性の熱風ガイドが設けられ、前記熱風ガイドが前記加熱手段を前記断熱板へ取り付けているので、加熱手段と仕切板の位置関係がバラツキなく安定するため、加熱装置の加熱バラツキを低減させることができる。さらに加熱手段の固定と仕切板が一体構成のため、部品点数を減らし構成を簡単にでき、組立作業性を向上できる。
【００１７】
第２の発明は、特に第１の発明において、前記熱風ガイドは、第１、第２熱風ガイドから構成され、前記加熱手段は、前記第１熱風ガイドにより前記第２熱風ガイドに押し当てるように取り付けられているので、前記加熱手段の熱源室内における位置決めをすることができる。
【００１８】
以下、本発明の実施の形態について、図面を参照しながら説明する。なお、この実施の形態によって本発明が限定されるものではない。
【００１９】
（実施の形態１）
本発明の実施の形態１を図１〜図６を参照して説明する。図１は、本発明の第１の実施の形態における加熱装置の側面断面図、図２は、ファンケースに送風ファン、ヒータ、仕切板を取り付けた状態の正面図、図３は、後壁を加熱室内側から見た正面図、図４は、ヒータの左右に取り付けられた仕切板Ａの斜視図、図５は、ヒータの上部に取り付けられた仕切板Ｂの斜視図、図６は仕切板Ａ、Ｂの断面図である。
【００２０】
図１に示されるように、加熱装置の本体１１には、被加熱物１２を内部に収納して加熱調理を行う加熱室１３が設けられ、この加熱室１３の前面には、被加熱物１２を出し入れできるドア１４が、開閉自在に設けられている。
【００２１】
加熱室１３は、左側壁１５、右側壁（図示せず）、底壁１７、天壁１８、および後壁１９（隔壁）を有している。左側壁１５および右側壁には、底壁１７に対し略並行に加熱室１３内に突出した支持部２０が上下方向に三段設けられており、加熱室１３の幅の調理皿２１を保持することが可能に構成している。
【００２２】
加熱室１３の後壁１９の後側の面には、ファンケース２２（断熱版）が取り付けられ、後壁１９とファンケース２２とで形成された熱源室２３が、配置されている。すなわち、加熱室１３の後壁１９は、加熱室１３と熱源室２３とを隔てる隔壁の役割を果たしている。熱源室２３内には、ヒータ２４（加熱手段）と、遠心ファンである送風ファン２５（送風手段）とが設けられている。ヒータ２４および送風ファン２５は、図示しない制御部によって制御される。
【００２３】
後壁１９の中央には、多数のパンチング孔よりなる吸込口２６が形成される。後壁１９には、吸込口２６を挟む上下の位置に、多数のパンチング孔よりなる上吹出口２７および下吹出口２８が、それぞれ左右方向に帯状に形成されている。
【００２４】
吸込口２６を挟む左右の位置には、同様に多数のパンチング孔よりなる左吹出口２９および右吹出口３０が、それぞれ設けられる。これら吸込口２６と吹出口２７、２８、２９、３０を経由して、熱源室２３は加熱室１３と連通している。
【００２５】
吸込口２６および吹出口２７、２８、２９、３０を形成するパンチング孔は、電磁波加熱調理の際、加熱室１３の外へ電磁波が漏洩しないように、直径２〜５ｍｍ程度の複数の孔の集まりをして形成されている。
【００２６】
熱源室２３内の送風ファン２５は、熱源室２３内に吸込口２６と対向させて設けられる。送風ファン２５の外周囲（吹出口）には、略環状のヒータ２４が設けられる。送風ファン２５は、熱源室２３の外部に設けたモータ３１により回転駆動され、空気流を発生させる。その空気流は、ヒータ２４によって加熱され熱風となり、加熱室１３内に送られて被加熱室１２を対流加熱する。
【００２７】
加熱室１３側から見て、ヒータ２４の左右には、同一形状の左接線方向仕切板Ａ４１（第１熱風ガイド）、右接線方向仕切板Ａ４２（第１熱風ガイド）が、ヒータ２４に対して略点対称な位置関係で配設され、ヒータ２４の上部には、仕切板Ｂ４３（第２熱風ガイド）が配設されている。左右接線方向の仕切板Ａ４１、４２は、ヒータ２４のパイプ部をつかむように保持した半円状のヒータ支持部が備わった形をしており、ヒータ２４のパイプ部の上下左右方向の位置寸法を安定させている。
【００２８】
また、ヒータ２４の上部に位置する仕切板Ｂ４３はヒータ２４を支持し、ヒータ２４をファンケース２２に固定している。ヒータ２４は、ヒータ２４と仕切板Ｂの接触部より、ファンケース２２側に位置するため、ヒータ２４は仕切板Ｂに押し当てて取り付けられることにより、ヒータ２４の奥行き方向の位置が決まる。
【００２９】
また、仕切板Ａ、ＢはＳＵＳ（ステンレス鋼）を用い、板厚はｔ０．５である。金属であるステンレス鋼を用いることで、碍子に比べて加工がし易い。しかも、弾性があるため、仕切板Ａ４１、４２とヒータ２４の接触部の隙間は、最小限に抑えることができ、ヒータ２４の位置のバラツキを低減できる。
【００３０】
以下、本実施の形態にかかる加熱装置の動作について、説明する。
【００３１】
例えば、オーブン調理の場合、クッキー等の被加熱物１２が載せられた調理皿２１を、加熱室１３の左右壁面に設けられた支持部２０に係止させて、後壁１９に接触するまで押し込む。そして、ドア１４を閉め、本体１１の前面に設けられた操作部（図示せず）上の所定ボタンを操作すると、オーブン調理が開始される。
【００３２】
この操作部で被加熱物１２の加熱時間や加熱温度などが設定でき、操作部から入力された指示に基づき、マイコンが組み込まれた制御部は、ヒータ２４、モータ３１等を制御する。
【００３３】
モータ３１の回転駆動により、送風ファン２５が回転（図２において右回り方向）を始めると、送風ファン２５から渦巻き状かつ外向き（半径方向）に吹き出した空気流は、ヒータ２４の熱により、高温に熱せられた熱風となり、仕切板Ａ４１、４２に衝突し、送風ファン２５の回転方向とは逆の方向へ戻ろうとする風の流れが生じる。そして、この戻ろうとする風の流れは、左吹出口２９、右吹出口３０から、加熱室１３に位置する被加熱物１２の方向に向かうように送風される。
【００３４】
ヒータ２４により加熱された熱風のうち、上方への熱風は上吹出口２７から、また下方への熱風は下吹出口２８から、それぞれ加熱室１３に吹き出す。これらの熱風は、送風ファン２５の回転方向に沿った渦巻き状外向きの風向を持っているので、上吹出口２７からの熱風は天面１８または右側壁方向に、そして、下吹出口２８からの熱風は底面１７または左側壁１５方向にそれぞれ向かって流れる。上吹出口２７に位置する場所に上仕切板Ｂ４３を配置させることで、加熱室１３に位置する被加熱物１２の方向に向かうように送風される。本実施の形態において、下吹出口２８からの熱風は仕切板が無い状態で調理分布性能のバランスがとれていたため配置していない。
【００３５】
以上のように、仕切板Ａ４１、４２、仕切板Ｂ４３は、熱風の方向を変えるガイド機能と、ヒータ２４を保持する機能とを合わせ持っているため、熱源であるヒータ２４と仕切板Ａ４１、４２、仕切板Ｂ４３の位置の製品間のバラツキが少なくなる。よって、加熱室１３内に位置する被加熱物１２への熱風のバラツキが少なくなるため、調理分布性能を安定させることができる。また、熱風をガイドする機能とヒータを保持する機能とを、１部品で構成することにより、部品点数を減らして構成を簡単にでき、組立作業性を向上できる。
【産業上の利用可能性】
【００３６】
以上のように、本発明にかかる加熱装置によれば、加熱ムラを抑えた均一な加熱を、バラツキを抑え安定して実現できる。
【００３７】
このため、対流加熱によるオーブン機能を有する電子レンジもしくは電気オーブン、または業務用の各種オーブン加熱装置、または、乾燥装置などの工業分野での加熱装置、または、陶芸加熱、または、焼結もしくは生体化学反応等の用途に適応できる。
【符号の説明】
【００３８】
１２  被加熱物
１３  加熱室
１９  後壁（隔壁）
２２  ファンケース（断熱版）
２３  熱源室
２４  ヒータ（加熱手段）
２５  送風ファン（送風手段）
４１、４２  仕切板Ａ（第１熱風ガイド）
４３  仕切板Ｂ（第２熱風ガイド）
【図１】
2013245872.tif 000003
【図２】
2013245872.tif 000004
【図３】
2013245872.tif 000005
【図４】
2013245872.tif 000006
【図５】
2013245872.tif 000007
【図６】
2013245872.tif 000008
【図７】
2013245872.tif 000009